(57)【要約】【課題】訓練者が単独でプラントの運転訓練を行う際の負担を軽くする運転訓練用シミュレータ装置を得る。【解決手段】運転訓練する際のプラント状態初期値４２と、プラント状態が外部操作挿入条件４５を満たした場合に外部要因を変更するための外部操作を設定した外部操作用設定４３とが、それぞれ予め定義された複数の訓練メニューを初期値設定装置４の訓練メニュー保存領域４１に保存しておき、運転訓練の実施に当たって、インストラクタコンソール３を用いて訓練メニューを選択し、該当するプラント状態初期値４２をシミュレータ計算機２に与えて、訓練者がマンマシン装置１を操作して運転訓練を行い、プラント状態監視装置４４により、プラント状態を常に監視して、外部操作挿入条件４５を満たした場合に外部操作用設定４３をシミュレータ計算機２に挿入し、外部操作を実行させる。【選択図】図１
2016011988.tif 000002
【特許請求の範囲】
【請求項１】
プラントの運転を模擬して、訓練者にプラントの運転訓練を行わせるように構成された運転訓練用シミュレータ装置であって、
上記訓練者により操作されるマンマシン装置、
プラント状態の初期値と、上記プラント状態が所定の条件を満たした場合に外部要因を変更する外部操作を実行させるための設定である外部操作用設定とが、それぞれ予め定義された複数の訓練メニューを保存する訓練メニュー保存装置、
上記複数の訓練メニューのうちの選択された訓練メニューの上記プラント状態の初期値に基づき、上記訓練者の上記マンマシン装置の操作に応じて、上記プラント状態を変化させるシミュレータ計算機、
及びこのシミュレータ計算機の上記プラント状態を監視し、上記プラント状態が所定の条件を満たした場合に、上記外部操作用設定を上記シミュレータ計算機に挿入し、上記外部操作を実行させるプラント状態監視装置を備えたことを特徴とする運転訓練用シミュレータ装置。
【請求項２】
上記訓練メニュー保存装置に保存された上記訓練メニューには、上記プラントを構成する計器または機器の故障を発生させるための設定である計器故障・機器故障設定が定義されていることを特徴とする請求項１記載の運転訓練用シミュレータ装置。
【請求項３】
上記訓練メニュー保存装置に保存された上記訓練メニューには、上記プラントの模擬事故を発生させるための設定であるマルファンクション設定が定義されていることを特徴とする請求項１または請求項２記載の運転訓練用シミュレータ装置。
【請求項４】
上記訓練者の個人認証を行う個人認証装置を備えたことを特徴とする請求項１から請求項３のいずれか一項記載の運転訓練用シミュレータ装置。
【請求項５】
上記個人認証装置は、上記訓練者の訓練履歴を有し、上記個人認証された上記訓練者の訓練履歴に応じた訓練メニューを自動的に選択することを特徴とする請求項４記載の運転訓練用シミュレータ装置。
【発明の詳細な説明】
【技術分野】
【０００１】
この発明は、火力発電プラントなどのプラントの監視及び操作を運転員が的確に行えるようにするために、運転員の訓練を支援する運転訓練用シミュレータ装置に関するものである。
【背景技術】
【０００２】
従来の運転訓練用シミュレータとしては、訓練するカリキュラムの内容、開始条件、終了条件等を記載したスケジュール表を予め作成しておき、訓練時はそのスケジュール表を選択すれば、運転訓練用シミュレータが自動的にカリキュラムを訓練者に提示することで、自習可能とする技術がある（たとえば特許文献１）。
【先行技術文献】
【特許文献】
【０００３】
【特許文献１】特開昭５９−６８７７３号公報（第３〜４頁、第２図）
【発明の概要】
【発明が解決しようとする課題】
【０００４】
従来の運転訓練用シミュレータでは、運転訓練の講師（以下：インストラクタ）が、訓練者の理解度や訓練目的に合わせて、プラント状態の設定や外気温度・海水温度などの外部要因の設定、模擬事故発生用のマルファンクション挿入操作などを手動で行っている。
そのため、訓練者が単独で訓練を行いたい場合、様々な設定項目から自分の目的に合致する設定項目を抽出し、必要な設定を行う必要があるという問題があった。
【０００５】
この発明は、上述のような課題を解決するためになされたものであり、訓練者が単独でプラントの運転訓練を行う際の負担を軽くする運転訓練用シミュレータ装置を得ることを目的とする。
【課題を解決するための手段】
【０００６】
この発明に係わる運転訓練用シミュレータ装置においては、プラントの運転を模擬して、訓練者にプラントの運転訓練を行わせるように構成された運転訓練用シミュレータ装置であって、訓練者により操作されるマンマシン装置、プラント状態の初期値と、プラント状態が所定の条件を満たした場合に外部要因を変更する外部操作を実行させるための設定である外部操作用設定とが、それぞれ予め定義された複数の訓練メニューを保存する訓練メニュー保存装置、複数の訓練メニューのうちの選択された訓練メニューのプラント状態の初期値に基づき、訓練者のマンマシン装置の操作に応じて、プラント状態を変化させるシミュレータ計算機、及びこのシミュレータ計算機のプラント状態を監視し、プラント状態が所定の条件を満たした場合に、外部操作用設定をシミュレータ計算機に挿入し、外部操作を実行させるプラント状態監視装置を備えたものである。
【発明の効果】
【０００７】
この発明によれば、プラントの運転を模擬して、訓練者にプラントの運転訓練を行わせるように構成された運転訓練用シミュレータ装置であって、訓練者により操作されるマンマシン装置、プラント状態の初期値と、プラント状態が所定の条件を満たした場合に外部要因を変更する外部操作を実行させるための設定である外部操作用設定とが、それぞれ予め定義された複数の訓練メニューを保存する訓練メニュー保存装置、複数の訓練メニューのうちの選択された訓練メニューのプラント状態の初期値に基づき、訓練者のマンマシン装置の操作に応じて、プラント状態を変化させるシミュレータ計算機、及びこのシミュレータ計算機のプラント状態を監視し、プラント状態が所定の条件を満たした場合に、外部操作用設定をシミュレータ計算機に挿入し、外部操作を実行させるプラント状態監視装置を備えたので、訓練者のみで運転訓練を行う場合であっても、必要な場面で外部操作を自動的に挿入することができる。
【図面の簡単な説明】
【０００８】
【図１】この発明の実施の形態１による運転訓練用シミュレータ装置を示す構成図である。
【図２】この発明の実施の形態１による運転訓練用シミュレータ装置の動作を示すフローチャートである。
【図３】この発明の実施の形態１による運転訓練用シミュレータ装置の外部操作挿入を示す図である。
【図４】この発明の実施の形態２による運転訓練用シミュレータ装置を示す構成図である。
【図５】この発明の実施の形態２による運転訓練用シミュレータ装置の動作を示すフローチャートである。
【図６】この発明の実施の形態３による運転訓練用シミュレータ装置を示す構成図である。
【図７】この発明の実施の形態３による運転訓練用シミュレータ装置の動作を示すフローチャートである。
【図８】この発明の実施の形態４による運転訓練用シミュレータ装置を示す構成図である。
【図９】この発明の実施の形態４による運転訓練用シミュレータ装置の動作を示すフローチャートである。
【図１０】この発明の実施の形態５による運転訓練用シミュレータ装置を示す構成図である。
【図１１】この発明の実施の形態５による運転訓練用シミュレータ装置の動作を示すフローチャートである。
【図１２】この発明の実施の形態６による運転訓練用シミュレータ装置を示す構成図である。
【図１３】この発明の実施の形態６による運転訓練用シミュレータ装置の動作を示すフローチャートである。
【図１４】この発明の実施の形態７による運転訓練用シミュレータ装置を示す構成図である。
【図１５】この発明の実施の形態７による運転訓練用シミュレータ装置の動作を示すフローチャートである。
【図１６】この発明の実施の形態８による運転訓練用シミュレータ装置を示す構成図である。
【図１７】この発明の実施の形態８による運転訓練用シミュレータ装置の動作を示すフローチャートである。
【発明を実施するための形態】
【０００９】
実施の形態１．
以下、この発明の実施の形態１を図に基づいて説明する。
図１は、この発明の実施の形態１による運転訓練用シミュレータ装置を示す構成図である。
図１において、火力発電プラントの運転を模擬する運転訓練用シミュレータ装置は、次のように構成されている。
マンマシン装置１は、表示手段１１と入力処理装置１２を有し、運転訓練時に訓練者によって操作される。シミュレータ計算機２は、マンマシン装置１の操作に応じてプラントを模擬するための計算機である。インストラクタコンソール３は、表示手段３１と入力処理装置３２を有し、主にインストラクタが操作する。
初期値設定装置４（訓練メニュー保存装置）は、入力処理装置４６を有し、インストラクタコンソール３による操作で設定される初期値を保存する。初期値設定装置４の訓練メニュー保存領域４１は、予め作成された複数の訓練メニューを保存し、それぞれの訓練メニューに対して、運転訓練のプラントの初期状態を示すプラント状態初期値４２と、従来インストラクタが行っていた外部要因を変更（たとえば、外気温度、海水温度の変更や低気圧襲来を想定した気圧の下降など）するための外部操作を設定する外部操作用設定４３とを有する。
初期値設定装置４のプラント状態監視装置４４は、シミュレータ計算機２のプラント状態の変動を監視し、プラント状態が予め設定された外部操作挿入条件４５に到達したかどうかを判断し、到達すれば、外部操作挿入命令を発する。外部操作挿入条件４５は、規定のプラント状態を示している。
【００１０】
図３は、この発明の実施の形態１による運転訓練用シミュレータ装置の外部操作挿入を示す図である。
図３において、縦軸に燃料流量、横軸に時間をとり、外部操作用設定４３による外部操作挿入のタイミングが示されている。図３では、流量制御弁が操作されて、燃料流量が、燃料流量変動目標値Ｗａに達した場合に、外部操作挿入が行われたことを示している。
【００１１】
次に、動作について説明する。
この発明は、本来、インストラクタが行う外部操作により設定する、外部要因の変更などの項目を訓練用メニューに内包させておき、訓練者の単独訓練時に、インストラクタによる外部操作を不要とするものである。
以下、図２のフローチャートを用いて説明する。
まず、インストラクタが、訓練者のそれぞれの技能レベルや訓練目的に合せて、予め複数の訓練メニューの設定を行う（Ｓｔｅｐ０）。
訓練者は、複数の訓練メニューの中から自身の訓練の目的に合致するものを、インストラクタコンソール３を操作し、選択する（Ｓｔｅｐ１）。この選択により、初期値設定装置４よりシミュレータ計算機２にプラント状態初期値４２が入力され、プラントの運転訓練が開始される（Ｓｔｅｐ２）。
【００１２】
訓練開始後は、訓練者がマンマシン装置１を用いて操作を行う（Ｓｔｅｐ３）。プラント状態監視装置４４は、常にシミュレータ計算機２のプラント状態を監視しており、プラント状態が、インストラクタが事前に設定した規定のプラント状態である外部操作挿入条件４５（たとえば、図３の燃料流量変動目標値Ｗａ＝１００ｔ／ｈ）に到達した場合（Ｓｔｅｐ４）に、プラント状態監視装置４４が外部操作挿入命令を発し、初期値設定装置４が、外部操作用設定４３（たとえば、低気圧襲来を想定した気圧の下降）をシミュレータ計算機２に挿入する（Ｓｔｅｐ５）。この挿入により、シミュレータ計算機２で、設定された外部操作が実行され、図３のようにプラント状態は変化する。このときの挿入タイミングの例を図３に示す。
外部操作挿入条件４５に到達していない場合は、挿入は実施しない（Ｓｔｅｐ５’）。
その後も運転訓練の継続を行う（Ｓｔｅｐ６）。
【００１３】
実施の形態１によれば、従来は訓練者単独での訓練の場合は、訓練者自身で訓練の途中に外部操作を実施する必要があったが、その操作無しに外部操作を実施することができる。
【００１４】
実施の形態２．
以下、この発明の実施の形態２を図に基づいて説明する。
図４は、この発明の実施の形態２による運転訓練用シミュレータ装置を示す構成図である。
図４において、１〜４、１１、１２、３１、３２、４１〜４６は図１におけるものと同一のものである。図４では、訓練メニュー保存領域４１内に、操作盤模擬機能における計器または機器の故障を発生させるための設定である計器故障・機器故障設定４７を設けている。
【００１５】
次に、動作について、図５のフローチャートを用いて説明する。
図５において、Ｓｔｅｐ０〜Ｓｔｅｐ３、Ｓｔｅｐ６の動作は図２におけるものと同一であり、その説明を省略する。
プラント状態監視装置４４は、常にシミュレータ計算機２のプラント状態を監視しており、プラント状態が、インストラクタが事前に設定した外部操作挿入条件４５（たとえば、図３の燃料流量変動目標値Ｗａ＝１００ｔ／ｈ）に到達した場合（Ｓｔｅｐ４）に、プラント状態監視装置４４が外部操作挿入命令及び計器故障・機器故障挿入命令を発し、初期値設定装置４が、外部操作用設定４３（たとえば、低気圧襲来を想定した気圧の下降）をシミュレータ計算機２に挿入する（Ｓｔｅｐ５）。この挿入により、シミュレータ計算機２で、設定された外部操作が実行され、プラント状態は変化する。また、Ｓｔｅｐ５と並行して計器故障・機器故障設定４７をシミュレータ計算機２に挿入する（Ｓｔｅｐ１５）。この挿入により、シミュレータ計算機２で、設定どおりの機器故障または計器故障が発生する。
外部操作挿入条件４５に到達していない場合は、挿入は実施しない（Ｓｔｅｐ５’）。
【００１６】
この実施の形態２の効果は、実施の形態１の効果に加え、実際の操作盤で発生する計装機器の故障（たとえば、燃料流量計の表示不具合）など、より現実に即した状況での訓練を訓練者のみで行うことができる。
【００１７】
実施の形態３．
以下、この発明の実施の形態３を図に基づいて説明する。
図６は、この発明の実施の形態３による運転訓練用シミュレータ装置を示す構成図である。
図６において、１〜４、１１、１２、３１、３２、４１〜４６は図１におけるものと同一のものである。図６では、訓練メニュー保存領域４１に、ボイラ事故などの重大事故の模擬事故を発生させるための設定であるマルファンクション設定４８を設けている。
【００１８】
次に、動作について、図７のフローチャートを用いて説明する。
図７において、Ｓｔｅｐ０〜Ｓｔｅｐ３、Ｓｔｅｐ６の動作は図２におけるものと同一であり、その説明を省略する。
プラント状態監視装置４４は、常にシミュレータ計算機２のプラント状態を監視しており、プラント状態が、インストラクタが事前に設定した外部操作挿入条件４５（たとえば、図３の燃料流量変動目標値Ｗａ＝１００ｔ／ｈ）に到達した場合（Ｓｔｅｐ４）に、プラント状態監視装置４４が外部操作挿入命令を発し、初期値設定装置４が、外部操作用設定４３（たとえば、低気圧襲来を想定した気圧の下降）をシミュレータ計算機２に挿入する（Ｓｔｅｐ５）。この挿入により、シミュレータ計算機２で、設定された外部操作が実行され、プラント状態は変化する。
また、Ｓｔｅｐ５と並行してマルファンクション設定４８をシミュレータ計算機２に挿入する（Ｓｔｅｐ２５）。この挿入により、シミュレータ計算機２で、設定どおりの模擬事故が発生し、対処訓練が行えるようになる。
外部操作挿入条件４５に到達していない場合は、挿入は実施しない（Ｓｔｅｐ５’）。
【００１９】
実施の形態３によれば、実施の形態１の効果に加え、突発的な事故の発生における対処訓練を訓練者のみで行うことができる。
【００２０】
実施の形態４．
以下、この発明の実施の形態４を図に基づいて説明する。
図８は、この発明の実施の形態４による運転訓練用シミュレータ装置を示す構成図である。
図８において、１〜４、１１、１２、３１、３２、４１〜４７は図４におけるものと、４８は図６におけるものとそれぞれ同一のものである。図８では、訓練メニュー保存領域４１に、計器または機器の故障を発生させるための設定である計器故障・機器故障設定４７と、模擬事故を発生させるための設定であるマルファンクション設定４８を設けている。
【００２１】
次に、動作について、図９のフローチャートを用いて説明する。
図９において、Ｓｔｅｐ０〜Ｓｔｅｐ３、Ｓｔｅｐ６の動作は図２におけるものと同一であり、その説明を省略する。
プラント状態監視装置４４は、常にシミュレータ計算機２のプラント状態を監視しており、プラント状態が、インストラクタが事前に設定した外部操作挿入条件４５（たとえば、図３の燃料流量変動目標値Ｗａ＝１００ｔ／ｈ）に到達した場合（Ｓｔｅｐ４）に、プラント状態監視装置４４が外部操作挿入命令及び計器故障・機器故障挿入命令を発し、初期値設定装置４が、外部操作用設定４３（たとえば、低気圧襲来を想定した気圧の下降）をシミュレータ計算機２に挿入する（Ｓｔｅｐ５）。この挿入により、シミュレータ計算機２で、設定された外部操作が実行され、プラント状態は変化する。
【００２２】
また、Ｓｔｅｐ５と並行して計器故障・機器故障設定４７をシミュレータ計算機２に挿入する（Ｓｔｅｐ１５）。この挿入により、シミュレータ計算機２で、設定どおりの機器故障または計器故障が発生する。さらに、Ｓｔｅｐ５と並行して、マルファンクション設定４８をシミュレータ計算機２に挿入する（Ｓｔｅｐ２５）。この挿入により、シミュレータ計算機２で、設定どおりの模擬事故が発生し、対処訓練が行えるようになる。
外部操作挿入条件４５に到達していない場合は、挿入は実施しない（Ｓｔｅｐ５’）。
【００２３】
実施の形態４によれば、実施の形態１の効果に加え、実際の操作盤で発生する計装機器の故障（たとえば、燃料流量計の表示不具合）など、より現実に即した状況で、突発的な事故の発生における対処訓練を訓練者のみで行うことができる。
【００２４】
実施の形態５．
以下、この発明の実施の形態５を図に基づいて説明する。
図１０は、この発明の実施の形態５による運転訓練用シミュレータ装置を示す構成図である。
図１０において、１〜４、１１、１２、３１、３２、４１〜４６は図１におけるものと同一のものである。図１０では、運転訓練用シミュレータ装置に、訓練者の識別情報や訓練履歴などの個人情報を記憶し、訓練者の個人認証を行う個人認証装置５が設けられている。
【００２５】
次に、動作について、図１１のフローチャートを用いて説明する。
図１１において、Ｓｔｅｐ０〜Ｓｔｅｐ６の動作は図２におけるものと同一であり、その説明を省略する。図１１では、Ｓｔｅｐ１の前に個人認証装置５による訓練者の認証プロセスが挿入されている。
Ｓｔｅｐ０の後、訓練者は個人認証装置５にて自身の認証を行う（Ｓｔｅｐ５１）。個人認証装置５は、認証した個人情報を元に、複数の訓練メニューの中から訓練者およびインストラクタの目的に合致するものを抽出し、インストラクタコンソール３に選択指令を出す（Ｓｔｅｐ５２）。合致するものがない場合は、訓練者が自身で事前登録された訓練メニューの中から選択する（Ｓｔｅｐ１）。以降は、図２のＳｔｅｐ２以降の動作と同じである。
【００２６】
実施の形態５によれば、実施の形態１の効果に加え、インストラクタ自身が不在の場合でも訓練者に任意の訓練を実施させることができる。
【００２７】
実施の形態６．
以下、この発明の実施の形態６を図に基づいて説明する。
図１２は、この発明の実施の形態６による運転訓練用シミュレータ装置を示す構成図である。
図１２において、図１０において、１〜５、１１、１２、３１、３２、４１〜４６は図１０におけるものと同一のものである。図１２では、訓練メニュー保存領域４１内に計器または機器の故障を発生させるための設定である計器故障・機器故障設定４７を設けている。
【００２８】
次に、動作について、図１３のフローチャートを用いて説明する。
図１３において、Ｓｔｅｐ０〜Ｓｔｅｐ３、Ｓｔｅｐ６、Ｓｔｅｐ５１、Ｓｔｅｐ５２の動作は図１１におけるものと同一であり、その説明を省略する。
プラント状態監視装置４４は、常にシミュレータ計算機２のプラント状態を監視しており、プラント状態が、インストラクタが事前に設定した外部操作挿入条件４５（たとえば、図３の燃料流量変動目標値Ｗａ＝１００ｔ／ｈ）に到達した場合（Ｓｔｅｐ４）に、プラント状態監視装置４４が外部操作挿入命令及び計器故障・機器故障挿入命令を発し、初期値設定装置４が、外部操作用設定４３（たとえば、低気圧襲来を想定した気圧の下降）をシミュレータ計算機２に挿入する（Ｓｔｅｐ５）。この挿入により、シミュレータ計算機２で、設定された外部操作が実行され、プラント状態は変化する。
また、Ｓｔｅｐ５と並行して計器故障・機器故障設定４７をシミュレータ計算機２に挿入する（Ｓｔｅｐ１５）。この挿入により、シミュレータ計算機２で、設定どおりの機器故障または計器故障が発生する。
外部操作挿入条件４５に到達していない場合は、挿入は実施しない（Ｓｔｅｐ５’）。
【００２９】
実施の形態６によれば、実施の形態２の効果に加え、インストラクタ自身が不在の場合でも訓練者に任意の訓練を実施させることができる。
【００３０】
実施の形態７．
以下、この発明の実施の形態７を図に基づいて説明する。
図１４は、この発明の実施の形態７による運転訓練用シミュレータ装置を示す構成図である。
図１４において、１〜５、１１、１２、３１、３２、４１〜４６は図１０におけるものと同一のものである。図１４では、訓練メニュー保存領域４１に、模擬事故を発生させるための設定であるマルファンクション設定４８を設けている。
【００３１】
次に、動作について、図１５のフローチャートを用いて説明する。
図１５において、Ｓｔｅｐ０〜Ｓｔｅｐ３、Ｓｔｅｐ６、Ｓｔｅｐ５１、Ｓｔｅｐ５２の動作は図１１におけるものと同一であり、その説明を省略する。
プラント状態監視装置４４は、常にシミュレータ計算機２のプラント状態を監視しており、プラント状態が、インストラクタが事前に設定した外部操作挿入条件４５（たとえば、図３の燃料流量変動目標値Ｗａ＝１００ｔ／ｈ）に到達した場合（Ｓｔｅｐ４）に、プラント状態監視装置４４が外部操作挿入命令を発し、初期値設定装置４が、外部操作用設定４３（たとえば、低気圧襲来を想定した気圧の下降）をシミュレータ計算機２に挿入する（Ｓｔｅｐ５）。この挿入により、シミュレータ計算機２で、設定された外部操作が実行され、プラント状態は変化する。
また、Ｓｔｅｐ５と並行してマルファンクション設定４８をシミュレータ計算機２に挿入する（Ｓｔｅｐ２５）。この挿入により、シミュレータ計算機２で、設定どおりの模擬事故が発生し、対処訓練が行えるようになる。
外部操作挿入条件４５に到達していない場合は、挿入は実施しない（Ｓｔｅｐ５’）。
【００３２】
実施の形態７によれば、実施の形態３の効果に加え、インストラクタ自身が不在の場合でも訓練者に任意の訓練を実施させること可能となることである。
【００３３】
実施の形態８．
以下、この発明の実施の形態８を図に基づいて説明する。
図１６は、この発明の実施の形態８による運転訓練用シミュレータ装置を示す構成図である。
図１６において、１〜５、１１、１２、３１、３２、４１〜４７は図１２におけるものと、４８は図１４におけるものとそれぞれ同一のものである。図１６では、訓練メニュー保存領域４１に、計器または機器の故障を発生させるための設定である計器故障・機器故障設定４７と、模擬事故を発生させるための設定であるマルファンクション設定４８を設けている。
【００３４】
次に、動作について、図１７のフローチャートを用いて説明する。
図１７において、Ｓｔｅｐ０〜Ｓｔｅｐ３、Ｓｔｅｐ６、Ｓｔｅｐ５１、Ｓｔｅｐ５２の動作は図１１におけるものと同一であり、その説明を省略する。
プラント状態監視装置４４は、常にシミュレータ計算機２のプラント状態を監視しており、プラント状態が、インストラクタが事前に設定した外部操作挿入条件４５（たとえば、図３の燃料流量変動目標値Ｗａ＝１００ｔ／ｈ）に到達した場合（Ｓｔｅｐ４）に、プラント状態監視装置４４が外部操作挿入命令及び計器故障・機器故障挿入命令を発し、初期値設定装置４が、外部操作用設定４３（たとえば、低気圧襲来を想定した気圧の下降）をシミュレータ計算機２に挿入する（Ｓｔｅｐ５）。この挿入により、シミュレータ計算機２で、設定された外部操作が実行され、プラント状態は変化する。
【００３５】
また、Ｓｔｅｐ５と並行して計器故障・機器故障設定４７をシミュレータ計算機２に挿入する（Ｓｔｅｐ１５）。この挿入により、シミュレータ計算機２で、設定どおりの機器故障または計器故障が発生する。さらに、Ｓｔｅｐ５と並行して、マルファンクション設定４８をシミュレータ計算機２に挿入する（Ｓｔｅｐ２５）。この挿入により、シミュレータ計算機２で、設定どおりの模擬事故が発生し、対処訓練が行えるようになる。
外部操作挿入条件４５に到達していない場合は、挿入は実施しない（Ｓｔｅｐ５’）。
【００３６】
実施の形態８によれば、実施の形態４の効果に加え、インストラクタ自身が不在の場合でも訓練者に任意の訓練を実施させることができる。
【００３７】
なお、本発明は、その発明の範囲内において、各実施の形態を自由に組み合わせたり、各実施の形態を適宜、変形、省略することが可能である。
【符号の説明】
【００３８】
１  マンマシン装置、２  シミュレータ計算機、３  インストラクタコンソール、
４  初期値設定装置、５  個人認証装置、１１  表示手段、１２  入力処理装置、
３１  表示手段、３２  入力処理装置、４１  訓練メニュー保存領域、
４２  プラント状態初期値、４３  外部操作用設定、４４  プラント状態監視装置、
４５  外部操作挿入条件、４６  入力処理装置、４７  計器故障・機器故障設定、
４８  マルファンクション設定。
【図１】
2016011988.tif 000003
【図２】
2016011988.tif 000004
【図３】
2016011988.tif 000005
【図４】
2016011988.tif 000006
【図５】
2016011988.tif 000007
【図６】
2016011988.tif 000008
【図７】
2016011988.tif 000009
【図８】
2016011988.tif 000010
【図９】
2016011988.tif 000011
【図１０】
2016011988.tif 000012
【図１１】
2016011988.tif 000013
【図１２】
2016011988.tif 000014
【図１３】
2016011988.tif 000015
【図１４】
2016011988.tif 000016
【図１５】
2016011988.tif 000017
【図１６】
2016011988.tif 000018
【図１７】
2016011988.tif 000019